(57)【要約】      （修正有）【課題】調光装置に可変抵抗器を使用していながら低輝度領域において微調光制御を可能にした安価な調光装置と、これを有する顕微鏡を提供する。【解決手段】ＬＥＤ光源１０２と、前記ＬＥＤ光源に電流を出力する定電流回路２０２と、前記定電流回路に電圧を入力して前記ＬＥＤ光源への前記電流の出力を調節する可変抵抗器１０８と、前記定電流回路と前記可変抵抗器との間に配置され、前記可変抵抗器の少なくとも一部の可変範囲において前記定電流回路から前記ＬＥＤ光源に出力する前記電流を制御する制御回路２０７と、を有する調光装置。【選択図】図２
2013051146.tif 000002
【特許請求の範囲】
【請求項１】
ＬＥＤ光源と、
前記ＬＥＤ光源に電流を出力する定電流回路と、
前記定電流回路に電圧を入力して前記ＬＥＤ光源への前記電流の出力を調節する可変抵抗器と、
前記定電流回路と前記可変抵抗器との間に配置され、前記可変抵抗器の少なくとも一部の可変範囲において前記定電流回路から前記ＬＥＤ光源に出力する前記電流を制御する制御回路と、
を有することを特徴とする調光装置。
【請求項２】
前記可変抵抗器は、回転可能な操作ボリュームに連動し、所定の回転角度の範囲で操作可能であり、
前記操作ボリュームの回転角度の増加率に対する前記定電流回路の電流の増加率が、前記可変抵抗器のみの場合に比べて、前記制御回路が存在することで少なくとも初期の前記回転角度の範囲内において小さく設定されていることを特徴とする請求項１に記載の調光装置。
【請求項３】
前記制御回路は、前記可変抵抗器のみの場合に比較して、可変抵抗器の単位調整量に対する前記定電流回路の出力する前記電流を減少させることを特徴とする請求項１に記載の調光装置。
【請求項４】
前記制御回路は、前記可変抵抗器に接続されたダイオードと、当該ダイオードと前記定電流回路の間と接地間に接続された抵抗からなることを特徴とする請求項１から3のいずれか１項に記載の調光装置。
【請求項５】
前記可変抵抗器と接地間に別のダイオードをさらに有することを特徴とする請求項１から４のいずれか１項に記載の調光装置。
【請求項６】
前記制御回路は、前記定電流回路に内蔵されたフィードバック制御回路からなり、
前記フィードバック制御回路は、前記ＬＥＤ光源に印加された電流によって負荷抵抗に生じる電圧を所定の増幅率で増幅した出力を前記定電流回路に入力することを特徴とする請求項１に記載の調光装置。
【請求項７】
前記フィードバック回路中のフィードバック抵抗の一方は、前記可変抵抗器に連動した別の可変抵抗器からなり、前記可変抵抗器と前記別の可変抵抗器を同一方向に回転した時の抵抗変化の向きが逆であることを特徴とする請求項６に記載の調光装置。
【請求項８】
前記制御回路は、前記ＬＥＤ光源の低電流領域で前記可変抵抗器の回転角度当たりの前記電流の変化量を減少させることを特徴とする請求項１から７のいずれか１項に記載の調光装置。
【請求項９】
請求項１から８のいずれか１項に記載の調光装置を有することを特徴とする顕微鏡。
【発明の詳細な説明】
【技術分野】
【０００１】
本発明は、光源の調光装置とこれを有する顕微鏡に関する。
【背景技術】
【０００２】
近年、顕微鏡の照明部はハロゲンランプからＬＥＤ（Light Emitting Diode）に変わりつつある。ＬＥＤの特徴として、明るさを変えても色温度はほとんど変化せず、これまでのハロゲンランプにはなかった長寿命、低消費電力、発熱の低下などが挙げられる。そして、ＬＥＤの明るさを調整するために、可変抵抗器を使用した調光装置が提案されている（例えば、特許文献１参照）。さらに、ＬＥＤ光源の高輝度化が進み、顕微鏡用の照明光源として高輝度ＬＥＤ光源の使用が可能になっている。
【先行技術文献】
【特許文献】
【０００３】
【特許文献１】特開２０１１−１３５０３
【発明の概要】
【発明が解決しようとする課題】
【０００４】
しかしながら、高輝度ＬＥＤ光源を従来の可変抵抗器を使用した調光装置で調光しようとすると、ＬＥＤ光源に印加する電流の低電流領域（低輝度領域に相当）において適切な光量を得るための微調光制御が難しいという問題がある。
【０００５】
本発明は上記問題点に鑑みてなされたものであり、調光装置に可変抵抗器を使用していながら低輝度領域において微調光制御を可能にした安価な調光装置と、これを有する顕微鏡を提供する。
【課題を解決するための手段】
【０００６】
上記課題を解決するため、本発明は、
ＬＥＤ光源と、
前記ＬＥＤ光源に電流を出力する定電流回路と、
前記定電流回路に電圧を入力して前記ＬＥＤ光源への前記電流の出力を調節する可変抵抗器と、
前記定電流回路と前記可変抵抗器との間に配置され、前記可変抵抗器の少なくとも一部の可変範囲において前記定電流回路から前記ＬＥＤ光源に出力する前記電流を制御する制御回路と、を有することを特徴とする調光装置を提供する。
【０００７】
また、本発明は、前記調光装置を有することを特徴とする顕微鏡を提供する。
【発明の効果】
【０００８】
本発明によれば、調光装置に可変抵抗を使用していながら低輝度領域において微調光制御を可能にした安価な調光装置と、これを有する顕微鏡を提供する
【図面の簡単な説明】
【０００９】
【図１】本願実施形態にかかる調光装置を有する顕微鏡の一例を示す。
【図２】第１実施形態にかかる調光装置の回路図。
【図３】第１実施形態にかかる調光装置で使用する可変抵抗器の特性を示す。
【図４】第１実施形態にかかる調光装置で使用するダイオードの特性を示す。
【図５】第１実施形態にかかる調光装置における可変抵抗器の回転角度とＬＥＤ光源への出力電流の関係を示す図。
【図６】図５の低出力電流領域の拡大図。
【図７】第１実施形態の変形例にかかる調光装置の回路図。
【図８】第１実施形態の変形例にかかる調光装置における低出力電流領域の拡大図。
【図９】第２実施形態にかかる調光装置の回路図。
【図１０】第２実施形態にかかる調光装置における可変抵抗器の回転角度とＬＥＤ光源への出力電流の関係を示す図。
【発明を実施するための形態】
【００１０】
以下、本願の実施形態にかかる調光装置とこれを有する顕微鏡について図面を参照しつつ説明する。なお、以下の実施の形態は、発明の理解を容易にするためのものに過ぎず、本願発明の技術的思想を逸脱しない範囲において当業者により実施可能な付加・置換等を施すことを排除することは意図していない。
【００１１】
図１において、本願一実施形態にかかる顕微鏡１０１では、高輝度のＬＥＤ光源１０２から発せられた照明光は不図示のレンズなどにより集光され、コンデンサレンズ１０３を透過後、ステージ１０４上に載置された不図示の観察試料へ照射される。ステージ１０４上方には対物レンズ１０５が配置され、対物レンズ１０５で集光された試料からの光は接眼レンズ１０６へ導かれて観察者によって試料像が観察される。
【００１２】
顕微鏡１０１におけるＬＥＤ光源１０２の調光装置は、ＬＥＤ光源１０２に接続された制御基板１０７と、可変抵抗器からなる操作ボリューム１０８と、電源１０９とからなる。
【００１３】
本調光装置では、観察者は、操作ボリューム１０８を回転させることにより、操作ボリューム１０８が出力する電圧を制御基板１０７中の後述する定電流回路に入力して、この入力電圧に対応する電流を定電流回路がＬＥＤ光源１０２に出力することによりＬＥＤ光源１０２の輝度を変化させる構成である。なお、操作ボリューム１０８は、回転型の可変抵抗器以外の可変抵抗器（例えば、リニア型可変抵抗器など）を使用することもできる。
【００１４】
次に、各実施形態にかかる調光装置について図面を参照しつつ説明する。
（第１実施形態）
図２は、第１実施形態にかかる調光装置の回路図を示す。本第１実施例にかかる調光装置は、１００ｋΩの可変抵抗器からなる操作ボリューム１０８と、制御基板１０７上に配置された、制御回路２０７と、定電流回路２０２とから構成されている。制御基板１０７上に配置された回路部品は、操作ボリューム１０８側から順に、電圧フォロアとしてのバッファ２０１と、制御回路２０７を構成するダイオード２０４と、電圧フォロアとしてのバッファ２０６と、定電流回路２０２、およびダイオード２０４とバッファ２０６との間に接続された制御回路２０７を構成する４７０Ωの抵抗２０５から構成されている。
【００１５】
操作ボリューム１０８には、電源１０９から５Ｖの電圧が供給され、操作ボリューム１０８を回転することにより所望の電圧が操作ボリューム１０８から出力されるように構成されている。なお、図２では、操作ボリューム１０８の抵抗値を１００ｋΩ、抵抗２０５を４７０Ωとして説明しているが、これらの値に限定されることはなく、使用するＬＥＤ光源１０２の輝度特性によって種々変更が可能である。また、ダイオード２０４に付いても１個に限らず、ＬＥＤ光源の特性によって複数個を直列に接続しても良い。
【００１６】
電源１０９から供給された電圧は操作ボリューム１０８およびバッファ２０１により、操作ボリューム１０８の回転角度に対する抵抗値によって分圧され、ダイオード２０４、抵抗２０５、バッファ２０６を介して、定電流回路２０２に入力される。定電流回路２０２に入力された電圧は定電流回路２０２により電流に変換されてＬＥＤ光源１０２を点灯させる。よって、ＬＥＤ光源１０２の輝度は、定電流回路２０２に入力される電圧によって制御される。
【００１７】
操作ボリューム１０８は、０度から約３００度の回転角を有し、図３に示すのような回転角度の変化に対して下側に凸の抵抗変化特性（Ａ特性と言う）を有するのものを用いている。これは、人の眼の明るさに対する感度特性を考慮したもので、上記特性でＬＥＤ光源１０２の輝度制御を行うと、人の眼にはほぼ直線的に輝度が変わっているように感じる。
【００１８】
図４は、ダイオード２０４のＶＩ特性を示している。ダイオード２０４の順電圧を約０．６Ｖとすると、電圧が０．６Ｖを超えると電流が急激に流れ、ダイオード２０４の存在は無視できるようになる。一方、電圧が０．６Ｖ以下ではダイオード特性に基づく微小電流が流れる。なお、ダイオード２０４は、一般的なダイオードを使用する。
【００１９】
本第１実施形態の調光装置では、図２のようにバッファ２０１とバッファ２０６との間にダイオード２０４を付加することにより、図４のようなダイオードのＶＩ特性を利用して、順電圧以下ではダイオード２０４の抵抗値による電流、順電圧以上では抵抗２０５に入力される電流を用いることにより、図５の黒△印（可変抵抗＋ダイオード）に示すような、操作ボリューム１０８の回転角度とＬＥＤ光源１０２への出力電流値との関係を得ることができる。なお、図５の黒○印（可変抵抗のみ）には、参照のため、ダイオード２０４、固定抵抗２０５、バッファ２０６を除いた時の操作ボリューム１０８の回転角度とＬＥＤ光源１０２への出力電流値との関係を示している。
【００２０】
ダイオード２０４、抵抗２０５等が配置されていない場合では、図６の黒○印から分かるように、操作ボリューム１０８の回転角度が小さい領域（低輝度領域）では回転角度に対する出力電流値の立ち上がりが急峻となる。すなわち、ダイオード２０４、抵抗２０５等が配置されていない調光装置では、ＬＥＤ光源１０２への出力電流値の変化が急峻となるため、高輝度のＬＥＤ光源１０２を用いると低輝度領域で微小な調光制御が困難になる。
【００２１】
本第１実施形態にかかる調光装置では、図５に示すように、操作ボリューム１０８からの入力電圧がダイオード２０４の閾値電圧（約０．６Ｖ：操作ボリュームの回転角約220°）に達するまでは、ダイオード２０４に流れる電流と抵抗２０５とによる電圧が定電流回路２０２に入力される。一方、操作ボリューム１０８からの入力電圧がダイオード２０４の閾値電圧を超えると、ダイオード２０４の特性は無視でき、操作ボリューム１０８と抵抗２０５による合成電圧が定電流回路２０２に入力される。この状態では、ほぼ操作ボリューム１０８からの電圧が定電流回路に入力されるようになり、図５に示すように黒△印と黒○印との出力電流値の差が無くなり操作ボリューム１０８の回転角度変化に対してほぼ同様の出力電流値変化をするようになる。
【００２２】
図６は、操作ボリューム１０８の回転角度０〜４０度領域（低出力電流領域、低輝度領域）の拡大図である。図５、図６から分かるように、本第１実施形態にかかる調光装置では、操作ボリューム１０８の回転角度において、すなわち順電圧（０．６Ｖ）より低い領域で、回転角度に対するＬＥＤ光源１０２への出力電流値が図中の矢印で示すように小さくなることが分かる。すなわち、ダイオード２０４と抵抗２０５とからなる制御回路２０７は、操作ボリューム１０８の同１の回転角度において、定電流回路２０２への入力電圧を減少させることができ、定電流回路２０２からＬＥＤ光源１０２へ出力する電流値を減少させることができる。これにより、操作ボリューム１０８の回転角度の変化に対するＬＥＤ光源１０２への出力電流曲線の傾きを緩やかにすることができる。この結果、本第１実施形態にかかる調光装置では、操作ボリューム１０８の回転角度が同じでもＬＥＤ光源１０２への出力電流変化を小さくでき（図６の矢印）、高輝度のＬＥＤ光源１０２を用いても低輝度領域で微小な調光制御が可能となる。
【００２３】
また、本第１実施形態にかかる調光装置では、以下の条件式（１）を満足することが望ましい。
（１）  ０．０４  ＜  δＩ／δθ  ＜  ０．１６    （単位：ｍＡ／°）
但し、ＩはＬＥＤ光源１０２への印加電流値（単位：ｍＡ）、θは操作ボリュームの回転角度（単位：°）である。
【００２４】
条件式（１）は、操作ボリューム１０８の回転角（単位調整量）当たりのＬＥＤ光源１０２への出力電流値の変化、すなわち出力電流曲線の傾き(回転角θが２５°〜３０°における傾き）を規定し使い勝手の良い調光装置を実現するための条件式である。
【００２５】
条件式（１）の下限値を下回ると、ＬＥＤ光源１０２への出力電流曲線の傾きが小さくなりすぎ、所望の輝度を得るための操作ボリューム１０８の回転角度が大きくなりすぎて操作性が悪化するので好ましくない。なお、条件式（１）の下限値を０．０６にすることにより本願の効果をより発揮できるのでより好ましい。
【００２６】
条件式（１）の上限値を上回ると、ＬＥＤ光源１０２への出力電流曲線の傾きが大きくなりすぎ、微小な輝度調整が難しくなるので好ましくない。なお、条件式（１）の上限値を０．１２にすることにより本願の効果をより発揮できるのでより好ましい。
【００２７】
なお、ダイオード２０４の有無によるＬＥＤ光源１０２への出力電流値の変化は、抵抗２０５の抵抗値により可変することができるので、ＬＥＤ光源１０２の輝度特性によって抵抗値を適宜選択するように構成してもよい。また、抵抗２０５を可変抵抗器にすることで、操作ボリューム１０８の回転角度の変化に対するＬＥＤ光源１０２への出力電流曲線の傾きを調整することができるので、ＬＥＤ光源１０２の輝度特性が変わった場合でもＬＥＤ光源に適した条件に設定することができる。また抵抗２０５を可変抵抗にした場合にはその調整用の操作部を設け、外部から調整できるように構成すると良い。
【００２８】
以上述べたように、本第１実施形態にかかる調光装置は、操作ボリューム１０８と定電流回路２０２との間に、ダイオード２０４と抵抗２０５とからなる制御回路２０７を接続することで、操作ボリューム１０８の回転角度の変化に対するＬＥＤ光源１０２への出力電流曲線の傾きを緩やかにし、ＬＥＤ光源１０２への出力電流変化を小さくできるため、高輝度のＬＥＤ光源１０２を用いても低輝度領域で微小な調光制御を達成することができる。
【００２９】
また、本第１実施形態にかかる調光装置は、操作ボリュームである可変抵抗器１０８、ダイオード２０４、および抵抗２０５のみの簡単な構成にできるため、安価に構成することができる。
【００３０】
（第１実施形態の変形例）
図７は、本第１実施形態の変形例を示す。本変形例では、操作ボリューム１０８の接地側にダイオード２０３を付加している点が上記第１実施形態と異なっている。ダイオード２０３は、操作ボリューム１０８を設置する不図示の回路基板上に配置されている。
【００３１】
図８は、本変形例における操作ボリューム１０８の回転角度とＬＥＤ光源１０２への出力電流値の関係をダイオード２０３の有（黒□印）、無（黒△印）で示している。
【００３２】
例えば、図６の黒○印（ダイオード２０４がない可変抵抗器のみ）で示す出力電流値曲線において、ＬＥＤ光源１０２が点灯しているように見え始める操作ボリューム１０８の回転角度は、図６から約２９度程度であるのに対して、第１実施形態にかかる調光装置（図６の黒△印）では、ダイオード２０４を付加することで、操作ボリューム１０８の回転角度に対する出力電流値の傾きが緩やかになったことから、ＬＥＤ光源１０２が点灯しているように見え始める操作ボリューム１０８の回転角は約３９度程度と大きくなる。
【００３３】
そこで、本変形例では、図７に示すようにダイオード２０３を付加し、操作ボリューム１０８から出力される電圧にオフセットを付加することにより、出力電流値曲線が全体的に上方にシフトし、図８に示すようにＬＥＤ光源１０２が点灯しているように見え始める操作ボリューム１０８の回転角度を約１９度程度にすることができる。これにより、図６の黒○印（ダイオード２０４がない可変抵抗器のみ）の調光装置に近い操作ボリューム１０８の回転角度でＬＥＤ光源１０２が点灯するように構成することができる。
【００３４】
なお、ダイオード２０３は、可変抵抗にしても良い。可変抵抗にすることで、図６の黒○印（ダイオード２０４がない可変抵抗器のみ）の調光装置にほぼ一致する操作ボリューム１０８の回転角度でＬＥＤ光源１０２が点灯するように構成することができる。
【００３５】
このように、本変形例にかかる調光装置では、第１実施形態の調光装置において、操作ボリューム１０８の接地側にダイオード２０３を付加することにより、第１実施形態と同様の効果が得られると共に、ＬＥＤ光源１０２が点灯し始めるまでの操作ボリューム１０８の操作感を従来とほぼ同等の操作感にすることができる。
【００３６】
（第２実施形態）
次に、本願の第２実施形態にかかる調光装置について説明する。図９は、本第２実施形態にかかる調光装置の回路図を示す。なお、図１に示す顕微鏡１０１の構成は、第１実施形態と同様であり説明を省略する。
【００３７】
図９において、第２実施形態にかかる調光装置は、可変抵抗器からなる操作ボリューム３０３と、制御基板１０７上に配置された、後述するフィードバック制御回路４０４を内蔵する定電流回路４０２とから構成されている。
【００３８】
定電流回路４０２は、操作ボリューム３０３の出力端に接続されたオペアンプ３０９と、オペアンプ３０９の出力側に接続されたＭＯＳトランジスタ３１０と、ＭＯＳトランジスタ３１０のソース電極側に接続された負荷抵抗３１１の電圧が入力されるオペアンプ３０４と、フィードバック抵抗としての可変抵抗器３０５、抵抗３０６から構成されている。
【００３９】
また、フィードバック制御回路４０４は、オペアンプ３０４、可変抵抗器３０５、および抵抗３０６で構成されている。
【００４０】
また可変抵抗器からなる操作ボリューム３０３とフィードバック可変抵抗３０５は、連動して動作するように構成されている（例えば、２連ボリュームなど）。そして、ＭＯＳトランジスタ３１０のドレーン電極と電源１０９との間にＬＥＤ光源１０２が接続されている。
【００４１】
本第２実施形態にかかる調光装置では、電源１０９（図１参照）より供給された電圧は操作ボリューム１０８に印加され、ボリュームの回転角度に応じた電圧が定電流回路４０２のオペアンプ３０９の正極に入力される。定電流回路４０２の出力はＬＥＤ光源１０２に接続されており、操作ボリューム３０３の回転角度に応じた電流がＬＥＤ光源１０２に印加される。
【００４２】
この定電流回路４０２内においてフィードバック制御回路４０４であるオペアンプ３０４等で構成された非反転増幅回路を接続することにより、ＬＥＤ光源１０２に印加される最大電流値を下げることなく、図１０に示すように操作ボリューム３０３の回転角度に対する出力電流値曲線の傾きを緩やかにすることができる。
【００４３】
フィードバック制御回路４０４のフィードバック抵抗としての可変抵抗３０５と操作ボリューム３０３は連動しており、操作ボリューム３０３を回転させるとその回転に同期して可変抵抗３０５も回転する。可変抵抗３０５の抵抗値としては操作ボリューム３０３が回転角度の増加に対して抵抗値が増加するのに対して、回転角度の増加に対して抵抗値が減少するように構成されている。そして、オペアンプ３０４の増幅度Ａは、フィードバック抵抗である可変抵抗３０５の抵抗値と抵抗３０６の抵抗値により以下の式（ａ）で決まる。
（ａ）  Ａ＝１＋（Ｒ３０５／Ｒ３０６）
ＬＥＤ光源１０２に印加される電流で負荷抵抗３１１に発生する電圧は、オペアンプ３０４の正極に入力され、増幅度Ａで増幅されて定電流回路４０２のオペアンプ３０９の負極側に入力される。これにより、オペアンプ３０９に負帰還電圧を印加することになり、オペアンプ３０９の出力が減少し、ＬＥＤ光源１０２に印加される電流が増幅度Ａに応じて減少することで操作ボリューム３０３の回転角度に対する出力電流値曲線の傾きを緩やかにする。
【００４４】
また、第２実施形態にかかる調光装置では、以下の条件式（２）を満足することが好ましい。
（２）  １  ≦  Ａ  ＜  ４
但し、Ａは増幅度である。
【００４５】
条件式（２）は、フィードバック制御回路４０４の増幅度Ａを規定し、使い勝手の良い調光装置を実現するための条件式である。
【００４６】
条件式（２）の上限値を上回ると、ＬＥＤ光源１０２への出力電流曲線の傾きが小さくなりすぎ、所望の輝度を得るための操作ボリューム３０３の回転角度が大きくなりすぎて操作性が悪化するので好ましくない。なお、条件式（２）の上限値を２にすることにより本願の効果をより発揮できるのでより好ましい。
【００４７】
なお、フィードバック制御回路４０２の抵抗３０６を可変抵抗にすることにより、操作ボリューム３０３の回転角度に対する出力電流値曲線の傾きをより傾けることが可能となる。抵抗３０６の抵抗値を変化させて（例えば、抵抗値を小さくする）フィードバック制御回路４０４の増幅度Ａを大きくする（Ｒ３０５の抵抗値が同じならＲ３０６の抵抗値が小さくなると増幅度Ａは大きくなる）ことにより操作ボリューム３０３の回転角度に対する出力電流値曲線の傾きを図１０の矢印方向にシフトすることができ、出力電流値曲線の傾きをさらに緩やかにすることが可能である。
【００４８】
以上述べたように、本第２実施形態にかかる調光装置は、定電流回路４０２内にフィードバック制御回路４０４を内蔵することにより、操作ボリューム３０３の回転角度の変化に対するＬＥＤ光源１０２への出力電流値曲線の傾きを緩やかにしてＬＥＤ光源１０２の輝度変化を小さくできるため、高輝度のＬＥＤ光源１０２を用いても低輝度領域（低電流領域）で微小な調光制御を達成することができる。
上述した第１実施形態および第２実施形態は、可変抵抗器１０８、３０３と定電流回路２０２，４０２（ＬＥＤ光源に電流を出力する回路）との間に配置された制御回路によって、可変抵抗器の操作ボリュームの回転角度の増加率に対する定電流回路の電流の増加率が、前記可変抵抗器のみの場合に比べて、少なくとも初期の回転角度の範囲内（例えば０°〜４０°）において小さく設定されている。
【００４９】
また、本実施形態にかかる調光装置によれば、顕微鏡に搭載されたＬＥＤ光源の最大光量の１%以下の低輝度領域でも微小な調光が達成でき、操作性の良い顕微鏡用ＬＥＤ照明装置が提供できる。
【００５０】
また、ＣＰＵなどを用いれば同様の調光は可能であるが、本願調光装置はＣＰＵを必要とせず、低価格化を達成できると言う利点がある。
【符号の説明】
【００５１】
１０１    顕微鏡
１０２    ＬＥＤ光源
１０３    コンデンサレンズ
１０４    ステージ
１０５    対物レンズ
１０６    接眼レンズ
１０７    制御基板
１０８、３０３    操作ボリューム
１０９    電源
２０１、２０６    バッファ
２０２、４０２    定電流回路
２０３、２０４    ダイオード
２０５、３０６    抵抗
２０７、４０４    制御回路
３０４、３０９    オペアンプ
３０５    可変抵抗
３１０    ＭＯＳトランジスタ
３１１    負荷抵抗
【図１】
2013051146.tif 000003
【図２】
2013051146.tif 000004
【図３】
2013051146.tif 000005
【図４】
2013051146.tif 000006
【図５】
2013051146.tif 000007
【図６】
2013051146.tif 000008
【図７】
2013051146.tif 000009
【図８】
2013051146.tif 000010
【図９】
2013051146.tif 000011
【図１０】
2013051146.tif 000012